(57)【特許請求の範囲】
【請求項１】
物品を搬送しながら該物品にＸ線を照射して得られるＸ線透過画像から、前記物品の搬送方向と交差する方向の１画素ライン毎の前記物品が占める領域の各画素の濃淡レベルを質量に変換し、得られた１画素ライン毎の質量を前記搬送方向に沿って逐次加算することによって、前記物品の搬送量に応じた物品質量を取得する工程と、取得した前記物品質量が、予め指定された１分割片の物品質量に到達するときの前記１画素ラインを、前記物品から各分割片を切り出すときの切断位置として特定する工程と、特定された各分割片の切断位置に関する情報と前記物品とを対応させて、切断位置の特定された前記物品を下流の切断装置へ送る工程と、を備えたことを特徴とする物品分割の前処理方法。
【請求項２】
物品を搬送しながら該物品にＸ線を照射して得られるＸ線透過画像から前記物品の搬送量に応じた物品質量を取得する質量計測手段と、前記物品から一定量の分割片を切り出すときの１分割片の質量を指定する分割指定手段と、指定された１分割片の物品質量を、前記搬送量に応じた物品質量に基づいて取得することにより、前記物品から各分割片を切り出すときの切断位置を特定する特定手段と、特定された各分割片の切断位置に関する情報を下流の切断装置へ送信する送信手段と、切断位置の特定された前記物品を前記切断装置へ搬送する搬送手段と、を備え、
前記質量計測手段が、前記Ｘ線透過画像から、前記物品の搬送方向と交差する方向の１画素ライン毎の前記物品が占める領域の各画素の濃淡レベルを質量に変換し、得られた１画素ライン毎の質量を前記搬送方向に沿って逐次加算することによって、前記物品の搬送量に応じた物品質量を取得するものであり、
前記特定手段が、前記物品の搬送量に応じて取得する物品質量が、指定された１分割片の物品質量に到達するときの前記１画素ラインを、前記物品から各分割片を切り出すときの切断位置として特定するものである、
Ｘ線検査装置。
【請求項３】
請求項２に記載のＸ線検査装置が、搬送される物品にＸ線を照射するＸ線照射部と、前記物品を透過したＸ線を検出するＸ線検出器とを備え、前記Ｘ線照射部と前記Ｘ線検出器とが、搬送される前記物品に対して一体的に傾斜するように構成されて、前記物品に対するＸ線の照射角度が変更可能であるＸ線検査装置。
【請求項４】
請求項２又は３に記載のＸ線検査装置と、該Ｘ線検査装置の下流側に配置されて、上流から送られてくる前記物品を指示通りに切断する切断装置とを備え、前記Ｘ線検査装置からは、前記物品の切断位置に関する指示情報を前記切断装置へ送信するようにした定量切り分けシステム。
【発明の詳細な説明】
【技術分野】
【０００１】
本発明は、長さ方向に厚みや幅・密度等が変化する材料から一定量の複数個の定量商品を切り出す前段階の処理方法と、その方法を実施するＸ線検査装置と、その装置を利用した定量切り分けシステムに関する。
【背景技術】
【０００２】
長さ方向に厚みや幅が変化する材料、例えば、冷凍食品や三枚おろしの魚、牛肉・豚肉等のブロック肉から、重量や体積を揃えた切り身を作り出す装置としては、例えば、下記特許文献に記載のものが知られている。
【０００３】
特許文献１に記載のものは、冷凍食品の周りからレーザー光を照射し、そのレーザー光が描く冷凍食品表面の曲線をカメラで捉え、捉えたその曲線から冷凍食品の断面積と形状を演算し、得られた断面積と形状に基づいて、指定された重量・長さの切り身を冷凍食品から切り出すようにしている。
【０００４】
また、特許文献２に記載のものは、三枚おろしの魚の片身（材料）をコンベアで搬送しながらその表面に薄膜状の光を照射し、その光が材料表面に当たって描く曲線をカメラで捉えて曲線部分の断面積を演算し、得られた断面積と材料の送り長さから、送り長さ分の材料の重量を演算し、その演算累積値が目標値に達した時点で、送りを停止させて材料から一定量の切り身を切り出すようにしている。
【０００５】
これらの特許文献に記載の技術は、何れも照射した光が材料表面に当たって描く曲線からその照射部分の断面積を求めているので、例えば、ドレス（頭部とハラワタを切除した状態の魚）のように、内部に空洞があるものや、チーズのように、内部に気泡があって密度が一定しないものは、正確な断面積が得られないという問題がある。
【０００６】
これに対し、特許文献３に記載のものは、被搬送物にＸ線を照射し、被搬送物を透過したＸ線透過量に基づいて、被搬送物の質量を連続的に計量し、その計量値が目標値に達した時点で搬送を停止してカッターを作動させるので、内部に空洞があるものでも一定量の切り身を切り出すことができるメリットがある。
【先行技術文献】
【特許文献】
【０００７】
【特許文献１】特許第４０７２９７２号公報
【特許文献２】特許第５３４８５１８号公報
【特許文献３】特許第４８９８４９３号公報
【発明の概要】
【発明が解決しようとする課題】
【０００８】
しかし、この特許文献３の発明では、Ｘ線の照射室内にカッターを配置する構成であるから、それを実用化するには、多くの難点がある。例えば、切断の際に飛び散った破片等がＸ線照射口やＸ線センサの検出窓等に付着すると、たちまちＸ線透過量が変化して検出精度が落ちるという問題がある。また、Ｘ線照射室は、分厚い金属製のＸ線遮蔽部材で囲わねばならないから、そこにカッター等を組み込むと、構造が複雑になる問題がある。さらには、切断されて飛び散った破片等がＸ線照射室の内壁に付着することもあるから、そうした場合でも、内部を簡単に清掃できる新たなＸ線検査装置を開発しなければならない問題がある。
加えて、この特許文献３の発明では、停止させた被搬送物を再スタートさせるときは、被搬送物を一旦逆方向に戻してから搬送しているので、処理能力の点で効率が悪いという問題もある。
【０００９】
本発明は、これらの先行技術が抱える問題を解決した、新たな物品分割前処理方法と、その方法を実施する新たなＸ線検査装置と、そのＸ線検査装置を利用した定量切り分けシステムを提供することを課題とする。
【課題を解決するための手段】
【００１０】
上記課題を解決するために、第１の発明に係る物品分割の前処理方法は、物品を搬送しながら該物品にＸ線を照射して得られるＸ線透過画像から、前記物品の搬送方向と交差する方向の１画素ライン毎の前記物品が占める領域の各画素の濃淡レベルを質量に変換し、得られた１画素ライン毎の質量を前記搬送方向に沿って逐次加算することによって、前記物品の搬送量に応じた物品質量を取得する工程と、取得した前記物品質量が、予め指定された１分割片の物品質量に到達するときの前記１画素ラインを、前記物品から各分割片を切り出すときの切断位置として特定する工程と、特定された各分割片の切断位置に関する情報と前記物品とを対応させて、切断位置の特定された前記物品を下流の切断装置へ送る工程と、を備えたことを特徴とする。
【００１１】
また、この方法を実施するための第２の発明に係るＸ線検査装置は、物品を搬送しながら該物品にＸ線を照射して得られるＸ線透過画像から前記物品の搬送量に応じた物品質量を取得する質量計測手段と、前記物品から一定量の分割片を切り出すときの１分割片の質量を指定する分割指定手段と、指定された１分割片の物品質量を、前記搬送量に応じた物品質量に基づいて取得することにより、前記物品から各分割片を切り出すときの切断位置を特定する特定手段と、特定された各分割片の切断位置に関する情報を下流の切断装置へ送信する送信手段と、切断位置の特定された前記物品を前記切断装置へ搬送する搬送手段と、を備え、
前記質量計測手段が、前記Ｘ線透過画像から、前記物品の搬送方向と交差する方向の１画素ライン毎の前記物品が占める領域の各画素の濃淡レベルを質量に変換し、得られた１画素ライン毎の質量を前記搬送方向に沿って逐次加算することによって、前記物品の搬送量に応じた物品質量を取得するものであり、
前記特定手段が、前記物品の搬送量に応じて取得する物品質量が、指定された１分割片の物品質量に到達するときの前記１画素ラインを、前記物品から各分割片を切り出すときの切断位置として特定するものである、
ことを特徴とする。
【００１２】
ここで使用する質量計測手段としては、特許第５１４８２８５号に開示された特許発明を利用する。具体的には、Ｘ線透過画像に写し出された物品領域の各画素の濃淡レベルとそれぞれの濃淡レベルに対応させた基準質量とから、その物品が占める画素領域の物品質量を推定していく。その際、各画素の濃淡レベルに対応する推定質量を記憶した変換テーブルを用意する。
【００１３】
この変換テーブルは、物品を様々な角度から撮像して、その物品のあらゆる濃淡レベルのＸ線透過画像を事前に取得しておき、得られたＸ線透過画像の１画素ごとの濃淡レベルに対応する推定質量ｍを以下の数式に基づいてテーブル化しておく。
ｍ＝ｃｔ＝−ｃ／μ×Ｉｎ（Ｉ／Ｉo）＝−αＩｎ（Ｉ／Ｉo）・・・（１）
（ただし、ｍ：推定質量、ｃ：物品の厚さから質量に変換する係数、ｔ：物品の厚さ、
Ｉ：物品を透過しないときの画素の明るさ、Ｉo：物品を透過したときの画素の明るさ、
μ：線吸収係数、α：変更可能な係数であって、最初は、1.0に設定される）
そして、この変換テーブルを使って求めた物品の推定質量と、その物品の実質量とを比
較して、推定質量が実質量に等しくなるように係数αを調整して変換テーブルを作成しておく。その作成には、本出願人が取得した特許５１４８２８５号や特許第５３５６１８４号を利用する。こうして、対象となる物品の変換テーブルを事前に用意し、これを使って各画素の濃淡レベルを推定質量に変換していく。
【００１４】
Ｘ線検査装置で得られるＸ線透過画像は、物品を一定速で搬送しながら、該物品の搬送方向と交差する方向に配列されたライン状のＸ線検出器の走査出力を二次元に展開することによって得られるから、該物品の搬送量に応じた物品質量は、Ｘ線透過画像の走査方向に沿って物品を輪切りにしたときの最小断片の物品質量を、搬送方向に積算することによって求まる。輪切りにした最小断片の物品質量は、Ｘ線透過画像上では、搬送方向と直交する方向の１画素ライン分の物品質量となるから、その平均値が、例えば１ｇで、分割指定手段によって指定された１分割片の質量が、例えば１００ｇであるときは、１００画素ライン分、その物品を搬送した時点が、その分割片の最初の切断位置となる。
【００１５】
また、１画素ライン分の物品質量が搬送方向に沿って変化するときは、１画素ライン毎の物品質量を搬送方向に順次加算していき、その加算値が指定された１分割片の物品質量になれば、その時点が次の切断位置となる。こうして、特定手段は、指定された１分割片の物品質量を、搬送量に応じた物品質量に基づいて取得することにより、前記物品から各分割片を切り出すときの切断位置を特定していく。そして、物品に対する各分割片の切断位置が特定できれば、各分割片の切断位置に関する情報とともに、該物品を下流の切断装置に搬送する。
【００１６】
ここで使用する切断装置は、物品に適合した既存のものを使用することができる。例えば、物品が冷凍食品であれば、それに適した回転刃を備えた専用の切断装置を使用する。そして、この切断装置は、指示された方向と位置で物品を切断することになるから、切断刃の方向を、物品を撮像したときの方向と一致させる。すなわち、Ｘ線は、物品の搬送方向と直交する方向に扇状に照射されて検出されるから、物品をＸ線が照射されたときの姿勢のままで切断刃へ送り込むときは、切断刃の方向を搬送方向と直交する方向に向ける。そうすれば、切断装置は、特定された切断位置と切断方向で物品を切り分けていくことができる。
【００１７】
また、第３の発明に係る定量切り分けシステムは、前記Ｘ線検査装置と、該Ｘ線検査装置の下流側に配置されて、上流から送られてくる前記物品を指示通りに切断する切断装置とを備え、前記Ｘ線検査装置からは、前記物品の切断位置に関する指示情報を前記切断装置へ送信するように構成したものである。
【００１８】
物品の切断位置に関する指示情報には、各分割片の切断間隔で表した情報と、各切断位置に到達するまでの搬送時間で表した指示情報とがある。切断間隔の場合には、例えば、物品の先端から次に切断するまでの距離となり、搬送時間の場合には、物品の先端検出時点から各切断位置に到達するまでの搬送時間となる。後者の場合には、Ｘ線検査装置での物品の搬送速度と、切断装置での物品の搬送速度とを整合させておく必要がある。また、切断位置に関する指示情報には、さらに物品を切断するときの切断角度に関する情報、例えば、搬送方向に対して物品を斜めに切断するときの交差角度や、鉛直方向に対して物品を斜めに削ぎ切りするときの傾斜角度等の情報も含めることができる。ただし、これは一例であって、これに限定されるものではない。
【発明の効果】
【００１９】
本発明によれば、Ｘ線透過画像から検出した、搬送量に応じた物品質量に基づいて前記物品の切断位置を特定し、特定した切断位置に基づいて下流の切断装置に対して、切断位置を指示するので、長さ方向に厚みと幅が変化する物品や、内部に空洞のある密度の異なる物品であっても、それを精度良く一定質量の分割片に切り出すことができる。
また、Ｘ線検査装置の下流側に切断装置を配置するので、物品を切断する際に、破片等が周囲に飛び散っても、Ｘ線検査装置内が汚れたり検出精度が低下したりする問題を回避することができる。
さらに、物品の種類に応じて専用の切断装置を使用することができるから、あらゆる物品に適用できる汎用性の高い検査装置やシステムとすることができる。
加えて、物品を連続的に搬送しながらその物品の切断位置を先に特定してから、下流の切断装置でその物品を切り分けていくので、従来装置と比べて、その処理能力を一層向上させることができる。
【図面の簡単な説明】
【００２０】
【図１】本発明に係る定量切り分けシステムの概略構成図。
【図２】上記定量切り分けシステムの構成ブロック図。
【図３】制御コンピュータで実行される各機能を示すブロック図。
【図４】チーズブロックを検査対象物として撮像した場合のＸ線透過画像。
【図５】画素ライン毎の物品質量を記憶した記憶テーブル。
【図６】分割指定手段としての入力画面の一例。
【図７】Ｘ線検査装置の動作フローの一例を示したフローチャート。
【図８】物品を斜めに切断する場合の、他の実施形態の説明図。
【発明を実施するための形態】
【００２１】
以下、本発明に係るＸ線検査装置とそれを利用した定量切り分けシステムの一実施形態を図面に基づいて説明する。
図１は、定量切り分けシステムの概略構成図を示す。この図において、定量切り分けシステム１００は、上流側のＸ線検査装置１と、下流側の切断装置２と、これら両装置の間に架け渡されて、Ｘ線検査装置１から搬出される物品ＰをＸ線が照射されたときの姿勢のまま切断装置２へ送り込む搬送手段３と、Ｘ線検査装置１から切断装置２へ物品Ｐの切断位置に関する情報を送信する送信手段４とを備えている。
また、Ｘ線検査装置１の前段には、該Ｘ線検査装置１へ物品Ｐを送り込む搬入コンベア５が接続され、切断装置２の後段には、一定量に切断された物品の切り身Ｂを下流の包装工程等へ送り出す搬出コンベア６が接続されている。
【００２２】
Ｘ線検査装置１は、入口１１と出口１２を有するＸ線検査室１３と、その検査室１３に収納された搬送コンベア１４と、入口１１と出口１２からのＸ線の漏洩を防止する図示しない遮蔽カーテンと、Ｘ線検査室１３内の中央上部に配置されたＸ線照射部１５と、搬送コンベア１４の上下のベルト間に配置されて、物品Ｐを透過したＸ線を検出するＸ線検出器１６と、これらを収納する筐体１７と、その筐体１７の前面に設けられたタッチパネル１８と、前記筐体１７を支持する４本の支持脚１９とを備えている。そして、Ｘ線検査室１３と筐体１７とは、Ｘ線検査室１３の入口１１と出口１２を除いて外部にＸ線が漏洩しない遮蔽構造とされている。
【００２３】
搬送コンベア１４は、Ｘ線検査室１３の入口１１から出口１２に架け渡されたベルトコンベアで構成され、設定速度でもって物品Ｐを搬送するように構成されている。
また、Ｘ線照射部１５は、Ｘ線検査室１３の上部に設けられた図示しないＸ線管と、そこから照射されるＸ線を、物品Ｐの搬送方向Ｙと直行する方向に扇状に広げる図示しないコリメータとで構成されている。そして、Ｘ線検出器１６に向けて照射されたＸ線は、物品Ｐと搬送コンベア１４のベルトとを透過してＸ線検出器１６に入力される。  
【００２４】
Ｘ線検出器１６は、物品Ｐの搬送方向Ｙと直行する方向に直線状に配列された複数個のフォトダイオードと、その上に重ねられた複数個のシンチレータとで構成され、物品Ｐを透過したＸ線は、各シンチレータで光に変換され、その光がフォトダイオードで電気信号に変換されて、Ｘ線透過信号として出力される。こうして出力されたＸ線透過信号は、図示しないＡ／Ｄ変換器でデジタル量に変換されて、後述の制御手段３０に入力される。また、このＸ線変換器１６は、搬送コンベア１４の上下のベルト間に配置されている。
【００２５】
タッチパネル１８は、フルドット表示の液晶ディスプレイで構成され、そこに表示される設定画面を操作することにより、Ｘ線検査装置１の起動・停止、必要な運転条件や検査条件の設定、推定質量を最適化するための操作等ができるようになっている。また、運転開始前の初期画面では、搬送コンベア１４の搬送速度やＸ線照射部１５のＸ線強度等が設定でき、また、運転開始後の画面では、例えば、Ｘ線透過画像を処理するときの検出感度や、質量推定機能を働かせるためのＸ線出力や暗部強調等の設定、さらには、物品Ｐの濃淡レベルと推定質量との対応関係を最適化するための操作ができるようになっている。また、必要に応じて、欠品検査、異物検査、割れ欠け検査等の検査項目とその検査条件も設定でき、さらに、物品ＰにＸ線を照射したときのＸ線透過画像も表示されるようになっている。
【００２６】
また、本発明に特有の設定項目としては、物品Ｐの搬送方向長さや、物品Ｐを切り分けるときの１分割片の物品質量、例えば一切れ１００ｇ等と設定できるようになっている。さらに、Ｘ線透過画像の濃淡レベルと推定質量との対応関係を最適化するために、切り分ける前の物品Ｐの質量も設定登録できるようになっている。
【００２７】
図２は、定量切り分けシステム１００の構成ブロック図を示す。この図において、Ｘ線検査装置１の制御コンピュータ３０は、ＣＰＵ３１、ＲＯＭ３２、ＲＡＭ３３、ＨＤＤ３４を備えるとともに、下流に設置される切断装置２と通信するＬＡＮポート３５を備えている。また、入出力装置であるタッチパネル１８と接続され、そこで入力された各種パラメータや設定値がＲＡＭ３３やＨＤＤ３４に記憶されるようになっている。
【００２８】
ＣＰＵ３１は、ＲＯＭ３２、ＲＡＭ３３、ＨＤＤ３４とアドレスバス、データバスを介して接続され、ＲＯＭ３２やＨＤＤ３４に格納された各種プログラムを読み出して実行することにより、図３の画像生成手段３６、推定質量調整手段３７、質量計測手段３８、分割指定手段３９、切断位置特定手段（特定手段）４０の各機能を実現する。また、ＨＤＤ３４には、タッチパネル１８から入力された検査条件や設定値、物品Ｐの切断位置に関する情報等が記憶されている。
【００２９】
制御コンピュータ３０は、Ｘ線照射部１５、Ｘ線検出器１６、搬送コンベア１４と接続されてこれらを駆動制御する。特に、搬送コンベア１４は、常に設定速度となるように、制御コンピュータ３０によって細かく速度制御される。また、搬送コンベア１４の入口には、物品Ｐの先端を検出する投光器と受光器が対向配置される場合もあるが、これに代えて、Ｘ線検出器１６から出力されるＸ線透過信号をモニタすることによって、物品Ｐの先端を検出する場合もある。
【００３０】
ＨＤＤ３４には、推定質量最適化モジュール、画像生成モジュール、質量推定モジュール、分割指定モジュール、切断位置特定モジュールがプログラムとして格納され、また、必要に応じて、異物検査モジュールや割れ欠け検査モジュール等も格納されている。そして、ＣＰＵ３１が、これらのプログラムを読み出して実行することにより、図３の画像生成手段３６、推定質量調整手段３７、質量推定手段３８、分割指定手段３９、切断位置特定手段（特定手段）４０の各機能が実現されるようになっている。
【００３１】
画像生成手段３６は、Ｘ線検出器１６から出力されたＸ線透過信号に基づいて、図４に示すような二次元のＸ線透過画像Ｍを生成する。具体的には、Ｘ線検出器１６から一定サイクルで出力されるＸ線透過信号が制御コンピュータ３０に入力されて内部のバッファメモリに記憶される。そして、Ｘ線透過信号に一定の変化が見られなくなくなると、物品ＰがＸ線検出器１６を通過したと判断して、その時点から既に読み取った物品Ｐの長さ分に相当するイメージデータをバッファメモリから読み出して、図４のような二次元のＸ線透過画像に展開する。なお、図４のＸ線透過画像は、ブロック状のチーズにＸ線を照射して取得した画像である。物品Ｐの占める領域Ｍは、濃淡レベルが暗い領域である。また、物品Ｐの搬送方向が、矢印で示す方向Ｙであれば、物品Ｐの先端は、矢印Ｚで示すライン上の部分となる。
【００３２】
推定質量調整手段３７は、質量が既知の物品ＰにＸ線を照射して取得される図４のようなＸ線透過画像Ｍから、前述の（１）式から求める。続いて、求めた各画素の推定質量を物品Pが占める全ての領域について積算して物品P全体の質量を推定し、その推定質量と設定登録されたその物品Ｐの実際の質量とを比較して、両者の偏差がゼロとなるように係数αを調整していく。
こうした処理を、搬送時の物品Pの向きや形を変えながら複数回繰り返す。例えば、物品Ｐがチーズのようなブロック体であるときは、それを横向きや縦向きにし、ときには、ブロック体を細かく分けて、同じ質量の物品であっても、取得される濃淡レベルが毎回変化するようにして、同じ物品Ｐから質量を繰り返し推定していく。推定質量調整手段３７は、そうした操作が繰り返される度に、前述の係数αを調整して、各画素の濃淡レベルを質量に変換する変換テーブルを作成していく。
【００３３】
質量推定手段３８は、画像生成手段３６で生成されたＸ線透過画像から物品Ｐの占める領域Ｍを特定し、その領域Ｍの各画素の濃淡レベルを前述の変換テーブルを用いて質量に変換していく。そして、例えば、魚の三枚おろしのように、物品Ｐの占める領域Ｍが搬送方向Ｙに沿って大きく変化していく場合は、図５に示すように、１画素ライン毎の質量をＲＡＭ３３上に記憶していき、それらの質量を逐次加算することによって、搬送量に応じた物品質量を求めていく。また、図４に示すように、１画素ライン毎の物品質量が搬送方向Ｙに沿って殆ど変化しない場合は、物品Ｐの切り分けラインａを予め定め、想定したラインａで区画された１区画ｍ１に含まれる各画素の質量を積算し、その積算値を指定された１分割片の目標質量と比較して、その偏差に基づいてラインａの位置を搬送方向Ｙにシフトしながら、目標質量に収束する切り分けラインａを特定するようにしても良い。
【００３４】
分割指定手段３９は、入力表示装置であるタッチパネル１８で構成されるもので、例えば、図６のような表示画面をタッチパネル１８に表示させて、物品Ｐから一定量の分割片を切り出すときの１分割片の質量や、その許容範囲を入力させる。
【００３５】
切断位置特定手段（特定手段）４０は、タッチパネル１８で指定された１分割片の質量と、求めた搬送量に応じた物品質量とから、各分割片の切断位置を求めていく。例えば、１分割片の物品質量が１００ｇに設定されている場合は、図５の各画素ラインの質量を順次加算していき、その加算値が１００ｇに到達した時点の画素ラインがその物品Ｐを切り分けるときの最初の切断位置となる。そして、１画素ラインの幅が、例えば、0.5mmで、１００画素ライン分の質量の加算値がちょうど１００ｇになったとすると、物品Ｐを先端から50mm搬送した時点が最初の分割片の切断位置となる。こうした処理を繰り返して、搬送方向Ｙと交差する方向で切断するときの各切断位置を順次求めてＨＤＤ３４に記憶していく。
なお、１画素ラインの幅は、搬送コンベア１４の搬送速度と、Ｘ線検出器１６の走査周期とから求めることができる。
【００３６】
また、この制御コンピュータ３０には、異物検査モジュール、欠品検査モジュール、割れ欠け検査モジュール等が組み込まれており、各分割片の切断位置を特定する処理に加えてその物品Ｐに対する異物検査、欠品検査、割れ欠け検査を実行する場合もある。
【００３７】
図２に戻って、切断装置２は、切断される物品Ｐに適合した専用のものを使用することができる。そして、この切断装置では、指示された方向と位置で物品を切断していくことになるから、切断刃の方向を物品の搬送方向と直交する方向に向けることができ、また、物品Ｐは、搬送手段３によってＸ線が照射されたときの姿勢のままで送り込まれるから、切断装置２は、その姿勢を維持したまま、指示された位置で物品Ｐを切断するものであれば、どのような構成のものでも良い。一例として挙げれば、切断装置２の搬送装置としては、物品の姿勢を維持した状態で搬送できるものを使用し、また、その搬入端には、送り込まれる物品Ｐの先端を検出する物品検出センサ２０を設け、その検出センサ２０が物品Ｐの先端を検出すると、その時点から搬送量計測手段２１が働いて物品Ｐの搬送量を計測する。そして、その搬送量が指示された搬送量になると、物品Ｐを停止させた後、切断手段２３を働かせて、指示された位置で物品Ｐを切断するように構成する。
【００３８】
次に、この実施形態に係るＸ線検査装置１の動作を図７のフローチャートに基づいて説明する。
物品Ｐの質量を推定するためには、初期設定として、まず、物品ＰをＸ線検査装置１で複数回、好ましくは、１０回以上撮像して、物品Ｐのあらゆる濃淡レベルのＸ線透過画像を取得しておく必要がある。
そこで、運転に際しては、まず、Ｘ線検査装置１を、推定質量の学習モードに切り替え
て、物品Ｐを少なくとも１０回撮像する。その際、物品Ｐの向きや角度を変えながら、ときには、物品Ｐを細かくした状態で搬送コンベア１４に送り込んで撮像する。すると、毎回のＸ線透過画像が記憶され、それらの画像がタッチパネル１８上に表示される（ステップＳ１）。
【００３９】
続いて、物品Ｐの実質量（重量）をタッチパネル１８から入力し、続いて、タッチパネル１８に表示されたスタートキーを押す。すると、最適化プログラムが実行されて、各回のＸ線透過画像の濃淡レベルと、前述の数式（１）とを使って、画像の濃淡レベルを質量に変換する変換テーブルが作成され、さらにそれを使って各回のＸ線透過画像から同一物品Ｐの推定質量が算出される。次に、算出された推定質量と実質量との偏差に基づいて、仮の変換テーブルが濃淡レベルごとに調整されて最適化が行われる。こうして、最適化が終了すると、推定質量と実質量との偏差は、ほぼ数パーセント以内に収まった状態となる（ステップＳ２）。
【００４０】
こうして変換テーブルが出来上がると、次に分割指定モードに切り替えて、分割する物品名を入力する。すると、タッチパネル１８上に入力した物品名に対応する図６の画面がＨＤＤ３４から読み出されて表示され、それを操作して１切れ当たりの質量とその許容範囲を入力する（ステップＳ３）。入力された内容は、ＨＤＤ３４に記憶される。
【００４１】
以上の準備が整うと、Ｘ線検査装置１を通常モードに切り替えて運転を開始する。する
と、各コンベア５、１４、３が駆動されて、物品ＰがＸ線検査装置１に送り込まれる。続いて、Ｘ線検出器１６の出力が制御手段３０に順次取り込まれてＲＡＭ３３上で二次元のＸ線透過画像が形成され、それが同時にタッチパネル１８に表示される。そして、そのＸ線透過画像の濃淡レベルが大きく変化すると、その時点より少し前の時点からのＸ線透過画像がワーキングエリアに取り込まれ、濃淡レベルが変化しなくなると、物品ＰがＸ線検出器１６を通過したと判断して、その時点までのＸ線透過画像が処理対象として特定される（ステップＳ４）。
【００４２】
次に、Ｘ線透過画像を二値化した後、それにラベリング処理を施して図４の物品Ｐが写り込んだ領域Ｍを特定する（ステップＳ５〜Ｓ７）。続いて、元のＸ線透過画像の領域Ｍに対し、先頭の１画素ラインＺから各画素ラインの物品質量を順次加算していき、その加算値と指定された１分割片の物品質量とを比較して、その加算値が１分割片の物品質量と等しくなる画素ラインを特定し、特定した画素ラインの位置をその分割片の切断位置として記憶する（ステップＳ８、Ｓ９）。
【００４３】
こうした処理を繰り返して、最後の画素ラインに到達すると、その物品Ｐに対する全ての切断位置が特定されたことになるので、それまでに記憶した各分割片の切断位置に関する情報を下流の切断装置２に送信する（ステップＳ１０、Ｓ１１）。続いて、停止キーが操作されていれば、運転を終了するが、そうでなければ、再びステップＳ４に戻って、次の物品Ｐに対する処理を継続する。
一方、切断位置の特定された物品Ｐは、Ｘ線検査室１３から搬出されて搬送手段３に乗り移り、そのままの姿勢で下流の切断装置２へ搬送される。
【００４４】
以上、本発明の一実施形態を説明したが、本発明は、これに限定されるものではなく、その他の実施形態も採用可能である。例えば、三枚おろしの魚を一定質量で切断するときは、切断面が鉛直面に対し斜めになるように削ぎ切りにするのが常である。そうした場合には、例えば、図８に示すように、Ｘ線検査装置１のＸ線照射部１５とＸ線検出器１６とをＣ型フレームＦで上下に一体的に連結し、そのＣ型フレームＦを水平な軸芯Ｃ回りに回転可能に構成して、Ｘ線照射軸ｂが鉛直方向に対して傾斜するように構成する。そして、そのＸ線照射軸ｂが三枚おろしの魚を削ぎ切りにするときの傾斜角度と一致するように調整してＸ線を照射し、得られたＸ線透過画像を前述と同様に１画素ライン毎の物品質量を積算して１分割片の物品質量を求めていけば、斜めにカットする場合の切断位置を特定することができる。
【００４５】
さらに、前記Ｃ型フレームＦを、鉛直軸回りにも回転できるように構成すれば、Ｘ線の照射方向を、物品の搬送方向と交差する方向に少し斜めにずらすことができる。こうすれば、例えば、三枚おろしの魚を搬送方向に対して斜めに横断するように削ぎ切りにする場合でも利用できる。ただし、これらの場合には、物品の搬送方向とＸ線の照射面との交差角度も併せて切断装置に送信して、切断装置の方で、Ｘ線の交差角度と切断刃の交差角度とを整合させる必要がある。
【符号の説明】
【００４６】
１      Ｘ線検査装置
２      切断装置
３      搬送手段
４      送信手段
１５      Ｘ線照射部
１６      Ｘ線検出器
３３      質量計測手段
３９      分割指定手段
４０      特定手段
１００      定量切り分けシステム      
Ｆ      Ｃ型フレーム
【図１】
0006525512.tif 000002
【図２】
0006525512.tif 000003
【図３】
0006525512.tif 000004
【図４】
0006525512.tif 000005
【図５】
0006525512.tif 000006
【図６】
0006525512.tif 000007
【図７】
0006525512.tif 000008
【図８】
0006525512.tif 000009